(57)【要約】【課題】  玄関ドア等に物品の搬入に使用される補助ドアが設備されたドア装置について完全な防犯性を確保する。【解決手段】  人が通過可能なドア本体１の一部に人の通過が不能で物品の通過のみを可能にする補助ドア２が設備されている。補助ドア２は、ドア本体１の室外側に設けられて室外側に開放される外扉２２と、ドア本体１の室内側に設けられて室内側に開放される内扉２３と、ドア本体１の外扉２２，内扉２３の間に設けられて少なくとも一部が室外側を透視可能で室外側または室内側に開放される中扉２４と、中扉２４の閉鎖をロックする中扉ロック部とを備えている。【選択図】図１
2011012413.tif 000002
【特許請求の範囲】
【請求項１】
人が通過可能なドア本体の一部に人の通過が不能で物品の通過のみを可能にする補助ドアが設備されたドア装置において、補助ドアは、ドア本体の室外側に設けられて室外側に開放される外扉と、ドア本体の室内側に設けられて室内側に開放される内扉と、ドア本体の外扉，内扉の間に設けられて少なくとも一部が室外側を透視可能で室外側または室内側に開放される中扉と、中扉の閉鎖をロックする中扉ロック部とを備えていることを特徴とするドア装置。
【請求項２】
請求項１のドア装置において、補助ドアの外扉，内扉は下端縁にヒンジが取付けられて開放限界で同一の水平面を構成するものであることを特徴とするドア装置。
【請求項３】
請求項１または２のドア装置において、補助ドアの中扉は物品よりも小さな小物の通過が可能な小窓が設けられていることを特徴とするドア装置。
【請求項４】
請求項１〜３のいずれかのドア装置において、補助ドアの中扉は上端縁にヒンジが取付けられて吊下支持され室内側に開放されることを特徴とするドア装置。
【発明の詳細な説明】
【技術分野】
【０００１】
本発明は、玄関ドア等に物品の搬入に使用される補助ドアが設備されたドア装置に係る技術分野に属する。
【背景技術】
【０００２】
最近、防犯意識の高まりから、人が侵入するおそれのある玄関ドアを開放することなく、配送品や飲食物の出前等の物品のみを室内に搬入することのできる専用のドアが玄関付近に設備されるようになってきている。この専用のドアの設備に際しては、壁面等への施工に困難性が伴うことから、玄関ドアに補助ドアとして施工されることが多くなっている。
【０００３】
従来、玄関ドアに補助ドアが設備されたドア装置としては、例えば、特許文献１に記載のものが知られている。
【０００４】
特許文献１には、人が通過可能なドア本体の一部に人の通過が不能で物品の通過のみを可能にする補助ドアが設備されたドア装置が記載されている。
【０００５】
特許文献１に係るドア装置は、補助ドアがドア本体の室外側に設けられて室外側に開放される外扉とドア本体の室内側に設けられて物品を受入れる収容箱と収容箱に設けられて室内側に開放される内扉とを備えて、いわば郵便受を大型化することで物品の通過を図るものである。
【先行技術文献】
【特許文献】
【０００６】
【特許文献１】特許第３３９８４３５号公報
【発明の概要】
【発明が解決しようとする課題】
【０００７】
特許文献１に係るドア装置では、配達された物品が単に配達（投入）されるだけであれば充分に防犯性能を発揮するものの、物品の配達にともなう代金の支払や受領証の引渡が必要な場合等に外扉，内扉の間隔が長く不便であることから、結局玄関ドアを開放せざるを得ないため、ドアチェーンを使用して玄関ドアを半開放するにしても完全な防犯性を確保することができなくなるという問題点がある。
【０００８】
本発明は、このような問題点を考慮してなされたもので、玄関ドア等に物品の搬入に使用される補助ドアが設備されたドア装置について完全な防犯性を確保することを課題とする。
【課題を解決するための手段】
【０００９】
前述の課題を解決するため、本発明に係るドア装置は、特許請求の範囲の各請求項に記載の手段を採用する。
【００１０】
即ち、請求項１では、人が通過可能なドア本体の一部に人の通過が不能で物品の通過のみを可能にする補助ドアが設備されたドア装置において、補助ドアは、ドア本体の室外側に設けられて室外側に開放される外扉と、ドア本体の室内側に設けられて室内側に開放される内扉と、ドア本体の外扉，内扉の間に設けられて少なくとも一部が室外側を透視可能で室外側または室内側に開放される中扉と、中扉の閉鎖をロックする中扉ロック部とを備えていることを特徴とする。
【００１１】
この手段では、人が侵入するおそれのあるドア本体を開放しなくとも、補助ドアの近接して配置されている外扉，内扉，中扉を開放することで、物品の通過や物品の配達にともなう代金の支払や受領証の引渡が可能になるが、補助ドアの中扉について室外側を透視により観察し安全を確認してから中扉ロック部のロックを解除して開放することができる。
【００１２】
また、請求項２では、請求項１のドア装置において、補助ドアの外扉，内扉は下端縁にヒンジが取付けられて開放限界で同一の水平面を構成するものであることを特徴とする。
【００１３】
この手段では、開放された補助ドアの外扉，内扉が同一の水平面を構成して段差が形成されないことで、補助ドアの外扉，内扉が荷受台のような格好を呈して物品をスライドさせることができるようになる。
【００１４】
また、請求項３では、請求項１または２のドア装置において、補助ドアの中扉は物品よりも小さな小物の通過が可能な小窓が設けられていることを特徴とする。
【００１５】
この手段では、補助ドアの中扉を開放しなくとも小窓から小物の受渡を可能にすることで、受渡の物品等の大きさに対応して補助ドアの開放面積を制限することができる。
【００１６】
また、請求項４では、請求項１〜３のいずれかのドア装置において、補助ドアの中扉は上端縁にヒンジが取付けられて吊下支持され室内側に開放されることを特徴とする。
【００１７】
この手段では、補助ドアの中扉が吊下げ支持されることで、物品を室外側から押込むと補助ドアの中扉が物品に押上げられて自然に開放される。
【発明の効果】
【００１８】
本発明に係るドア装置は、人が侵入するおそれのあるドア本体を開放しなくとも、補助ドアの近接して配置されている外扉，内扉，中扉を開放することで、物品の通過や物品の配達にともなう代金の支払や受領証の引渡が可能になるが、補助ドアの中扉について室外側を透視により観察し安全を確認してから中扉ロック部のロックを解除して開放することができるため、玄関ドア等に物品の搬入に使用される補助ドアが設備されたドア装置について完全な防犯性を確保することができる効果がある。
【００１９】
さらに、請求項２として、開放された補助ドアの外扉，内扉が同一の水平面を構成して段差が形成されないことで、補助ドアの外扉，内扉が荷受台のような格好を呈して物品をスライドさせることができるようになるため、補助ドアにおける物品の通過が容易，円滑になる効果がある。
【００２０】
さらに、請求項３として、補助ドアの中扉を開放しなくとも小窓から小物の受渡を可能にすることで、受渡の物品等の大きさに対応して補助ドアの開放面積を制限することができるため、より完全な防犯性を確保することができる効果がある。
【００２１】
さらに、請求項４として、補助ドアの中扉が吊下げ支持されることで、物品を室外側から押込むと補助ドアの中扉が物品に押上げられて自然に開放されるため、補助ドアの中扉の開放操作が不要になる効果がある。
【図面の簡単な説明】
【００２２】
【図１】本発明に係るドア装置を実施するための形態の第１例の一部を透視した斜視図である。
【図２】図１の要部の一部拡大を含む縦断面図である。
【図３】図２の中央縦断面図ある。
【図４】図１の使用例を示す断面図である。
【図５】本発明に係るドア装置を実施するための形態の第２例の要部の斜視図である。
【図６】本発明に係るドア装置を実施するための形態の第３例の要部の斜視図である。
【発明を実施するための形態】
【００２３】
以下、本発明に係るドア装置を実施するための形態を図面に基づいて説明する。
【００２４】
図１〜図４は、本発明に係るドア装置を実施するための形態の第１例を示すものである。
【００２５】
第１例では、マンション等の玄関ドアに実施されるものを示してある。
【００２６】
第１例は、図１，図２に示すように、ドア本体１，補助ドア２で構成されている。
【００２７】
ドア本体１は、ドアノブ３，覗窓４等が取付けられてマンション等の玄関ドアとして使用されるもので、ほぼ中央部に補助ドア２を取付けるための方形の取付用窓５が開口されている。取付用窓５の大きさについては、人が侵入できない程度の大きさとされる。
【００２８】
補助ドア２は、ドア本体１に開口された取付用窓５に取付けられるフレーム体２１に外扉２２，内扉２３，中扉２４が開閉可能に支持されている。
【００２９】
補助ドア２のフレーム体２１は、図２に詳細に示されるように、金属材で屈曲加工されたもので、取付用窓５を覆ってドア本体１がスラッシュタイプの場合に空間部を閉塞するとともに中扉２４を支持する方形の内フレーム部２１ａと、内フレーム部２１ａの両側に階段状に連続されてドア本体１の取付用窓５の周縁に突出して被せられ外扉２２，内扉２３を支持する方形の外フレーム部２１ｂとからなる。このフレーム体２１は、取付用窓５の周囲の外観体裁を良好にするとともに、取付用窓３を補強しさらに水密にシールする。
【００３０】
補助ドア２の外扉２２は、図２に詳細に示されるように、金属材で中空板形に形成された扉板２２ａの下端縁がヒンジ２２ｂでフレーム体２１の外フレーム部２１ｂの片側（室外側）の下面に回動可能に支持され、扉板２２ａが室外側に開放されるようになっている。扉板２２ａの開放限界は、扉板２２ａの側端面とフレーム体２１の外フレーム部２１ｂとの間に掛渡されたリンクアーム２２ｃによって水平になるように設定されている。なお、水平になった扉板２２ａの上面（内側面）は、フレーム体２１の内フレーム部２１ａの下面と面一になるように寸法設定されている。また、扉板２２ａの上面は、高さの低い円形の突起２２ｄが規則的に配置された凹凸面になっている。なお、好ましくは、扉板２２ａの上面を鏡面仕上げとしておく。扉板２２ａの上部（開閉先端）には、フレーム体２１の外フレーム部２１ｂの上面に弾圧係止して扉板２２ａの閉鎖状態を保持するキャッチ２２ｅが取付けられている。
【００３１】
補助ドア２の内扉２３は、図２に詳細に示されるように、金属材で中空板形に形成された扉板２３ａの下端縁がヒンジ２３ｂでフレーム体２１の外フレーム部２１ｂの片側（室内側）の下面に回動可能に支持され、扉板２３ａが室内側に開放されるようになっている。扉板２３ａの開放限界は、扉板２３ａの側端面とフレーム体２１の外フレーム部２１ｂとの間に掛渡されたリンクアーム２３ｃによって水平になるように設定されている。なお、水平になった扉板２３ａの上面（内側面）は、フレーム体２１の内フレーム部２１ａの下面と面一になるように寸法設定されている。また、扉板２３ａの上面は、高さの低い円形の突起２３ｄが規則的に配置された凹凸面になっている。扉板２３ａの上部（開閉先端）には、フレーム体２１の外フレーム部２１ｂの上面に弾圧係止して扉板２３ａの閉鎖状態を保持するキャッチ２３ｅが取付けられている。
【００３２】
補助ドア２の中扉２４は、図２，図３に詳細に示されるように、周囲が金属材の枠材２４ａａで補強された広い面積の透明の合成樹脂板２４ａｂからなる扉板２４ａの上端縁がヒンジ２４ｂでフレーム体２１の内フレーム部２１ａの上面に回動可能に支持され、扉板２４ａが室内側に開放されるようになっている。扉板２４ａは、フレーム体２１の内フレーム部２１ａの内部で吊下支持されている。扉板２４ａの室内側の面の下部には、扉板２４ａの閉鎖状態をロックする中扉ロック部２４ｃが取付けられている。中扉ロック部２４ｃは、中扉２４の室外側からロック解除の操作ができなようになっている。扉板２４ａの下部には、下端面から少しの高さまで切込み形成された小窓２４ｄが設けられている。
【００３３】
さらに、補助ドア２は、外扉２２，内扉２３の閉鎖状態をロックするロック機構２５を備えている。
【００３４】
補助ドア２のロック機構２５は、外扉２２，内扉２３の上端面に設けられた係止溝に係止される鎌形の係止片２５ａと、フレーム体２１の室内側の外フレーム部２１ｂから露出され係止片２５ａを回転操作する操作摘２５ｂと、係止片２５ａ，操作摘２５ｂを連結するシャフト２５ｃとからなる。このロック機構２５は、外扉２２，内扉２３の閉鎖状態を同時にロック，ロック解除する。
【００３５】
第１例によると、物品Ｐが配達された際には、限られた視野ではあるがドア本体１の覗窓４から配達者の風貌等を観察して安全を確認した後に、補助ドア２のロック機構２５で外扉２２，内扉２３の閉鎖状態のロックを解除する。そして、配達者に対して補助ドア２のキャッチ２２ｅを操作して外扉２２を開放することを指示するとともに、補助ドア２のキャッチ２３ｅを操作して内扉２３を開放する。
【００３６】
この後、補助ドア２の中扉２４の扉板２４ａの広い面積の透明の合成樹脂板２４ａｂから広い視野で透視して、配達者の風貌等を観察して安全を確認することができる。さらに、配達者の身分証明書や配達された物品Ｐの配達伝票を補助ドア２の内扉２３の扉板２３ａの透明の合成樹脂板２４ａｂから透視して確認することができる。このとき、鏡面仕上げされた扉板２２ａの上面の反射で配達者の周囲（不審者が潜んでいないか等）も広範囲に確認することができる。そして、鏡面仕上げされた扉板２２ａの上面の突起２２ｄが凸面鏡の機能を奏するため、かなり広範囲の確認が可能になる。さらに、必要ならば、中扉２４の扉板２４の小窓２４ｄから身分証明書，配達伝票等の提出を求め、身分証明書，配達伝票等を手にとって確認することもできる。そして、配達された物品Ｐが書類等の小物である場合には、中扉２４の扉板２４の小窓２４ｄから引渡してもらうことができる。なお、物品Ｐの配達にともなう代金の支払や受領証の引渡についても、中扉２４の扉板２４の小窓２４ｄから行うことができる。
【００３７】
このような対応においては、補助ドア２の中扉２４の扉板２４ａが常に中扉ロック部２４ｃでロックされている。従って、配達者が侵入したり手を差込まれたりすることはない。なお、補助ドア２の中扉２４の扉板２４ａが金属材の枠材２４ａａで補強されているため、中扉２４の扉板２４ａが簡単に破壊されるようなことはない。
【００３８】
また、安全が確認されて大きな物品Ｐの引渡を受ける場合には、図４に示すように、補助ドア２の外扉２２の上面に載せられた物品Ｐを室内側に押込んでもらうことになる。このとき、補助ドア２の中扉２４の扉板２４ａを中扉ロック部２４ｃでロック解除しておけば、吊下支持されている中扉２４の扉板２４ａが物品Ｐに押上げられて自然に開放される。従って、補助ドア２に中扉２４が備えられていることによって、特別に面倒な操作が要求されることはない。
【００３９】
なお、補助ドア２の外扉２２，内扉２３に突起２２ｄ，２３ｄが設けられて摩擦が低減されていることと、水平に開閉された補助ドア２の外扉２２，内扉２３の上面がフレーム体２１の内フレーム部２１ａの下面と面一で段差が形成されないことによって、前述の物品Ｐの室内側へに押込みが容易，円滑に行われる。
【００４０】
前述のように大きな物品Ｐの引渡を受けた後には、補助ドア２の中扉２４の扉板２４ａを中扉ロック部２４ｃでロックしてから、物品Ｐの配達にともなう代金の支払や受領証の引渡をおこなえばよい。
【００４１】
従って、第１例によると、人が侵入するおそれのある玄関ドアを開放する必要がなく、しかも物品Ｐの引渡等を行う補助ドア２にも安全確保の構成が備えられるため、完全な防犯性を確保することができる。また、補助ドア２の外扉２２，内扉２３，中扉２４が近接して配置されているため、物品Ｐの配達にともなう物品Ｐの引渡や代金の支払，受領証の引渡等が面倒になることがない。
【００４２】
なお、第１例の補助ドア２の外扉２２，内扉２３の扉板２２ａ，２３ａが中空板形でかなりの強度と断熱性とを備えているため、いたずら等で簡単に損傷したり冬期に結露したりするようなことはない。また、補助ドア２の外扉２２，内扉２３，中扉２４が近接して配置されフレーム体２１にコンパクトに支持されているため、ドア本体１からあまり突出させずに設備することができ、既存のドアに対して改造実施するに好適である。
【００４３】
図５は、本発明に係るドア装置を実施するための形態の第２例を示すものである。
【００４４】
第２例は、補助ドア２の内扉２３の扉板２３ａに中空板形であることを利用して上端面側から抜差しされる収納箱２６を設けてある。
【００４５】
第２例によると、収納箱２６に印鑑，メモ帳，筆記用具等を収納しておくことにより、物品Ｐの配達への対応性を高めることができる。
【００４６】
図６は、本発明に係るドア装置を実施するための形態の第３例を示すものである。
【００４７】
第３例は、補助ドア２の内扉２３の扉板２３ａに中空板形であることを利用して警報器２７を設けてある。
【００４８】
警報器２７としては、例えば、スイッチ２７ａ，バッテリ，制御回路，スピーカ２７ｂで構成して、スイッチ２７ａのＯＮによりスピーカ２７ｂから警報音を発信するものとする。
【００４９】
第３例によると、物品Ｐの配達に関連して危険な状況になったとき、警報器２７によって周囲に救助を求めることができる。
【００５０】
以上、図示した各例の外に、倉庫等の物品搬入口のドア，仕切等に構成することも可能である。
【００５１】
さらに、補助ドア２の中扉２４を室外側に開放されるようにすることも可能である。
【００５２】
さらに、補助ドア２の中扉２４の扉板２４ａを半透明や室内側から透視が可能で室外側から透視が不可能なマジックミラーとすることも可能である。
【００５３】
さらに、補助ドア２のロック機構２５を内扉２３の閉鎖状態のみをロックするものとすることも可能である。
【符号の説明】
【００５４】
１   
ドア本体
２            補助ドア
２２          外扉
２３          内扉
２４          中扉
２４ｃ        中扉ロック部
２４ｄ        小窓
Ｐ            物品
【図１】
2011012413.tif 000003
【図２】
2011012413.tif 000004
【図３】
2011012413.tif 000005
【図４】
2011012413.tif 000006
【図５】
2011012413.tif 000007
【図６】
2011012413.tif 000008